(57)【要約】【課題】移動体の搭乗者に対して、より好適な曲を選択できる自動選曲システムを提供する。【解決手段】複数の曲に対応する曲データを記憶した曲データ記憶部２５と、移動体の現在位置を検出するナビゲーション装置２１と、ナビゲーション装置２１で検出された現在位置を表す現在位置情報に基づいて第１キーワードを作成する第１キーワード作成部１１と、移動体の環境を検出する各種センサ２２と、各種センサ２２で検出された環境を表す環境情報に基づいて第２キーワードを作成する第２キーワード作成部１２と、第１キーワード及び第２キーワードに基づいて曲を選択する選曲部１５と、選択された曲データを曲データ記憶部２５から読み出して再生する再生部１６とを備えている。【選択図】        図１
2004361845.tif 000002
【特許請求の範囲】
【請求項１】
複数の曲に対応する曲データを記憶した曲データ記憶部と、
移動体の現在位置を検出する現在位置検出部と、
前記現在位置検出部で検出された現在位置を表す現在位置情報に基づいて第１キーワードを作成する第１キーワード作成部と、
移動体の環境を検出する環境検出部と、
前記環境検出部で検出された環境を表す環境情報に基づいて第２キーワードを作成する第２キーワード作成部と、
前記第１キーワード作成部で作成された第１キーワード及び前記第２キーワード作成部で作成された第２キーワードに基づいて曲を選択する選曲部と、
前記選曲部で選択された曲に対応する曲データを前記曲データ記憶部から読み出して再生する再生部、
とを備えたことを特徴とする移動体における自動選曲システム。
【請求項２】
選曲部は、ネットワークに接続されたサーバに設けられ、
第１キーワード及び第２キーワードを前記ネットワークを介して前記サーバの選曲部に送信し、該選曲部で前記第１キーワード及び前記第２キーワードに基づいて選択された曲を表す選曲情報を受信する通信部、を備え、
再生部は、前記通信部で受信された選曲情報に対応する曲データを曲データ記憶部から読み出して再生する、ことを特徴とする請求項１記載の移動体における自動選曲システム。
【請求項３】
ユーザにより指定されるユーザ情報を入力するユーザ情報入力部と、
前記ユーザ情報入力部から入力されたユーザ情報に基づいて第３キーワードを作成する第３キーワード作成部、とを備え、
選曲部は、第１キーワード作成部で作成された第１キーワード、第２キーワード作成部で作成された第２キーワード及び前記第３キーワード作成部で作成された第３キーワードに基づいて曲を選択することを特徴とする請求項１記載の移動体における自動選曲システム。
【請求項４】
選曲部は、ネットワークに接続されたサーバに設けられ、
第１キーワード、第２キーワード及び第３キーワードを前記ネットワークを介して前記サーバの選曲部に送信し、該選曲部で前記第１キーワード、前記第２キーワード及び前記第３キーワードに基づいて選択された曲を表す選曲情報を受信する通信部、を備え、
再生部は、前記通信部で受信された選曲情報に対応する曲データを曲データ記憶部から読み出して再生する、ことを特徴とする請求項３記載の移動体における自動選曲システム。
【請求項５】
現在の日時を表す現在日時情報を入力する計時部と、
前記計時部から入力された現在日時情報に基づいて第４キーワードを作成する第４キーワード作成部、とを備え、
選曲部は、第１キーワード作成部で作成された第１キーワード、第２キーワード作成部で作成された第２キーワード、第３キーワード作成部で作成された第３キーワード及び前記第４キーワード作成部で作成された第４キーワードに基づいて曲を選択することを特徴とする請求項３記載の移動体における自動選曲システム。
【請求項６】
選曲部は、ネットワークに接続されたサーバに設けられ、
第１キーワード、第２キーワード、３キーワード及び第４キーワードを前記ネットワークを介して前記サーバの選曲部に送信し、該選曲部で前記第１キーワード、前記第２キーワード、第３キーワード及び第４キーワードに基づいて選択された曲を表す選曲情報を受信する通信部、を備え、
再生部は、前記通信部で受信された選曲情報に対応する曲データを曲データ記憶部から読み出して再生する、ことを特徴とする請求項５記載の移動体における自動選曲システム。
【請求項７】
再生部は、サーバに設けられた選択部で選択された曲の曲データが曲データ記憶部に記憶されていない場合に、前記サーバから該曲データをダウンロードして再生する、ことを特徴とする請求項２、請求項４及び請求項６のうちのいずれか１項記載の移動体における自動選曲システム。
【発明の詳細な説明】
【０００１】
【発明の属する技術分野】
この発明は、移動体に搭載されたオーディオ装置で使用される自動選曲システムに関し、特に選曲を的確に行う技術に関するものである。
【０００２】
【従来の技術】
従来、予め記憶されている複数の曲の中からランダムに選曲して再生を行う車載のオーディオ装置が知られている。このオーディオ装置では、その時点での車両の状況や車両の搭乗者の気分に合致しない曲が再生されることも多く、改善が望まれていた。そこで、必要に応じて、ご当地ソングなどの特定地方に縁のある曲を自動的に選曲して再生することができる車載の音楽再生装置が開発されている（例えば、特許文献１参照）。
【０００３】
この音楽再生装置は、ＧＰＳアンテナからの検出データに基づいて車両の現在位置を認識する位置認識部と、ＢＧＭ再生用のＭＩＤＩ再生部と、曲データ等を記憶したハードディスクとから構成されている。ハードディスクには、ＢＧＭ再生用ＭＩＤＩデータを記憶した曲データ記憶部と、曲データがどの地方に縁があるかを表す地図関連情報記憶部と、現在位置がどの地方に属するかを記憶した地域区分情報記憶部が記憶されている。ＣＰＵは、位置認識部が取得した現在位置に基づいて地域区分を特定し、地図関連情報記憶部を参照して当該地域区分に対応する曲目を選曲し、再生演奏を実行する。
【０００４】
【特許文献１】
特開平８−２４８９５３号公報
【０００５】
【発明が解決しようとする課題】
しかしながら、上述した従来の音楽再生装置は、車両の現在位置に関連のある曲を再生するだけという大雑把な選曲しかできないので、車両の搭乗者に対して、より好適な曲を提供できないという課題があった。
【０００６】
この発明は、上記のような課題を解消するためになされたものであり、移動体の搭乗者に対して、より好適な曲を選択できる移動体における自動選曲システムを提供することを目的とする。
【０００７】
【課題を解決するための手段】
この発明に係る移動体における自動選曲システムは、複数の曲に対応する曲データを記憶した曲データ記憶部と、移動体の現在位置を検出する現在位置検出部と、現在位置検出部で検出された現在位置を表す現在位置情報に基づいて第１キーワードを作成する第１キーワード作成部と、移動体の環境を検出する環境検出部と、環境検出部で検出された環境を表す環境情報に基づいて第２キーワードを作成する第２キーワード作成部と、第１キーワード作成部で作成された第１キーワード及び第２キーワード作成部で作成された第２キーワードに基づいて曲を選択する選曲部と、選曲部で選択された曲に対応する曲データを曲データ記憶部から読み出して再生する再生部とを備えている。
【０００８】
【発明の実施の形態】
以下、この発明の実施の形態を図面を参照しながら詳細に説明する。
実施の形態１．
図１は、この発明の実施の形態１に係る自動選曲システムを示すブロック図である。この自動選曲システムは、ＣＰＵ１０、ナビゲーション装置２１、各種センサ２２、操作パネル２３、時計機構２４、曲データ記憶部２５及びスピーカ２６から構成されている。
【０００９】
ＣＰＵ１０は、この自動選曲システムの全体を制御する。このＣＰＵ１０の詳細は後述する。
【００１０】
ナビゲーション装置２１は、この発明の現在位置検出部に対応し、ＧＰＳ受信機、方位センサ、距離センサ等を備えている。このナビゲーション装置２１は、ＧＰＳ受信機、方位センサ、距離センサ等から得られた信号に基づいて自己の位置を算出し、この算出された自己の現在位置を表すマークを地図に重ねてディスプレイに表示し、以て運転者を目的地に誘導する。このナビゲーション装置２１は、上記のような本来の機能の他に、自己の現在位置を表す現在位置情報をＣＰＵ１０に送る。
【００１１】
各種センサ２２は、この発明の環境検出部に対応する。この各種センサ２２には、何れも図示は省略するが、ワイパーがオンにされていることを検出するワイパーセンサ、サンルーフが開放されていることを検出するサンルーフセンサ、車速を検出する車速センサ、ヘッドライトが点灯されていることを検出するヘッドライトセンサ、フォグランプがオンにされていることを検出するフォグランプセンサ、方向指示器がオンにされていることを検出する方向指示器センサ等が含まれる。この各種センサ２２から出力される信号は、環境情報としてＣＰＵ１０に送られる。
【００１２】
操作パネル２３は、ユーザが自動選曲システムを操作するために使用される。この操作パネル２３には、この発明のユーザ情報入力部に対応するプリセットスイッチ２３ａが設けられている。このプリセットスイッチ２３ａは、例えば６個のプリセットボタン１〜６（図示は省略する）から構成されており、後述する第３キーワードを入力するために使用される。なお、このプリセットスイッチ２３ａは、第３キーワードを入力する他に、例えばラジオ局のプリセットといった他の用途にも兼用される。このプリセットスイッチ２３ａを構成するプリセットボタン１〜６のセット状態を表すユーザ情報は、ＣＰＵ１０に送られる。
【００１３】
時計機構２４は、この発明の計時部に対応し、年月日及び時刻を計時する。この時計機構２４で得られる現在の日時を表す現在日時情報は、ＣＰＵ１０に送られる。
【００１４】
曲データ記憶部２５は、例えばディスク装置から構成されている。この曲データ記憶部２５には、複数の曲に対応する曲データ及び複数の曲の属性を表す音楽情報を記憶している。音楽情報には、曲名、アーティスト名、ジャンル、歌詞等が含まれる。この曲データ記憶部２５は、ＣＰＵ１０からの曲検索に使用される。また、曲データ記憶部２５に記憶された曲データはＣＰＵ１０に送られる。
【００１５】
スピーカ２６は、ＣＰＵ１０から送られてくる音楽信号に基づいて音楽を発生する。なお、このスピーカ２６は、ナビゲーション装置２１からの信号に基づいて案内を音声で発生するためにも使用される。
【００１６】
上述したＣＰＵ１０は、ソフトウェアの処理により構成される第１キーワード作成部１１、第２キーワード作成部１２、第３キーワード作成部１３、第４キーワード作成部１４、選曲部１５及び再生部１６から構成されている。
【００１７】
第１キーワード作成部１１は、ナビゲーション装置２１から送られてくる現在位置情報に基づいて、検索用の第１キーワードを作成する。第１キーワードは、現在位置に関連する語から構成される。例えば、ナビゲーション装置２１から送られてくる現在位置情報により現在位置が川沿いであることが判断されると、「川」という第１キーワードが作成される。この第１キーワード作成部１１で作成される第１キーワードの詳細は後述する。第１キーワード作成部１１で作成された第１キーワードは選曲部１５に送られる。
【００１８】
第２キーワード作成部１２は、各種センサ２２から送られてくる車両の環境を表す環境情報に基づいて、検索用の第２キーワードを作成する。第２キーワードは、車両の環境に関連する語から構成される。例えば、各種センサ２２に含まれるワイパーセンサから環境情報として送られてくる信号によりワイパーがオンにされていることが判断されると、「雨」という第２キーワードが作成される。この第２キーワード作成部１２で作成される第２キーワードの種類は、後に詳述する。この第２キーワード作成部１２で作成された第２キーワードは選曲部１５に送られる。
【００１９】
第３キーワード作成部１３は、操作パネル２３のプリセットスイッチ２３ａから送られてくるプリセットボタン１〜６のセット状態を表すユーザ情報に基づいて、検索用の第３キーワードを作成する。第３キーワードは、ユーザが予めプリセットボタン１〜６に割り当てた語から構成される。例えば、ユーザによってプリセットボタン１に「ポップス」が割り当てられている状態でプリセットボタン１がオンにされたことが判断されると、「ポップス」という第３キーワードが作成される。この第３キーワード作成部１３で作成される第３キーワードの種類は、後に詳述する。この第３キーワード作成部１３で作成された第３キーワードは選曲部１５に送られる。
【００２０】
第４キーワード作成部１４は、時計機構２４から送られてくる現在日時情報に基づいて、検索用の第４キーワードを作成する。第４キーワードは、現在の年月日及び時刻に関連する語から構成される。例えば、現在の日付が３月から５月の間であれば、「春」という第４キーワードが作成される。この第４キーワード作成部１４で作成される第４キーワードの種類は、後に詳述する。この第４キーワード作成部１４で作成された第４キーワードは選曲部１５に送られる。
【００２１】
選曲部１５は、第１キーワード作成部１１からの第１キーワード、第２キーワード作成部１２からの第２キーワード、第３キーワード作成部１３からの第３キーワード及び第４キーワード作成部１４からの第４キーワードに基づいて曲データ記憶部２５に記憶されている音楽情報を検索し、第１〜第４キーワードに合致する曲を選択する。選曲部１５は、選択した曲の曲名を再生部１６に送る。
【００２２】
なお、選曲部１５は、第１〜第４キーワードに基づいて音楽情報を検索することにより曲を選択するように構成されているが、第１〜第４キーワードの少なくとも２つを用いての音楽情報を検索するように構成できる。第１〜第４キーワードの中の幾つを用いて検索するかは、システムやユーザの要求に応じて適宜定めることができる。
【００２３】
再生部１６は、選曲部１５から送られてくる曲名に対応する曲データを曲データ記憶部２５から読み出して音楽信号を生成する。この再生部１６で生成された音楽信号はスピーカ２６に送られる。これにより、スピーカ２６から音楽が発生される。
【００２４】
次に、以上のように構成される、この発明の実施の形態１に係る自動選曲システムの動作を、図２〜図６に示すフローチャートを参照しながら詳細に説明する。
【００２５】
自動選曲システムが起動されると、図２のフローチャートに示す自動選曲処理が開始される。自動選曲処理では、先ず、第１キーワードの取得が行われる（ステップＳＴ１０）。この第１キーワード取得処理は第１キーワード作成部１１で実行されるものであり、その詳細を図３のフローチャートに示す。
【００２６】
第１キーワード取得処理では、先ず、ナビゲーション装置２１から現在位置情報が取得される（ステップＳＴ３０）。次いで、取得された現在位置情報に基づいて、車両の現在位置が海岸沿いであるかどうかが調べられる（ステップＳＴ３１）。これは、ナビゲーション装置２１から得られる地図情報と現在位置情報とを比較照合することにより行われる。そして、海岸沿いであることが判断されると第１キーワードとして「海」が作成される（ステップＳＴ３２）。この作成された第１キーワードである「海」は、図示しないメモリの第１キーワード格納部に格納される。一方、ステップＳＴ３１で海岸沿いでないことが判断されるとステップＳＴ３２の処理はスキップされる。
【００２７】
以下同様にして、車両の現在位置が川沿いであれば第１キーワードとして「川」が作成され（ステップＳＴ３３及びＳＴ３４）、車両の現在位置が山沿いであれば第１キーワードとして「山」が作成され（ステップＳＴ３５及びＳＴ３６）、車両の現在位置が東京都内であれば第１キーワードとして「東京」が作成され（ステップＳＴ３７及びＳＴ３８）、車両の現在位置が大阪府内であれば第１キーワードとして「大阪」が作成され（ステップＳＴ３９及びＳＴ４０）、それぞれ第１キーワード格納部に格納される。その後、シーケンスは自動選曲処理（図２）にリターンする。
【００２８】
なお、第１キーワード作成部１１は、上記で例示した「海」、「川」、「山」、「東京」及び「大阪」に限らず、現在位置情報に基づく種々の第１キーワードを作成できる。
【００２９】
自動選曲処理では、次に、第２キーワードの取得が行われる（ステップＳＴ１１）。この第２キーワード取得処理は第２キーワード作成部１２で実行されるものであり、その詳細を図４のフローチャートに示す。
【００３０】
第２キーワード取得処理では、先ず、各種センサ２２から環境情報が取得される（ステップＳＴ５０）。次いで、取得された環境情報に含まれるワイパーセンサからの信号に基づいて、ワイパーがオンであるかどうかが調べられる（ステップＳＴ５１）。そして、ワイパーがオンであることが判断されると第２キーワードとして「雨」が作成される（ステップＳＴ５２）。この作成された第２キーワードである「雨」は、図示しないメモリの第２キーワード格納部に格納される。一方、ステップＳＴ５１でワイパーがオンでないことが判断されるとステップＳＴ５２の処理はスキップされる。
【００３１】
以下同様にして、サンルーフセンサからの信号がサンルーフの開放を示していれば第２キーワードとして「晴」が作成され（ステップＳＴ５３及びＳＴ５４）、車速センサからの信号が所定値以上、つまり高速を走行中であることを示していれば第２キーワードとして「高速」が作成され（ステップＳＴ５５及びＳＴ５６）、車速センサからの信号が所定値以下、つまり渋滞中であることを示していれば第２キーワードとして「渋滞」が作成され（ステップＳＴ５７及びＳＴ５８）、それぞれ第２キーワード格納部に格納される。その後、シーケンスは自動選曲処理（図２）にリターンする。
【００３２】
なお、第２キーワード作成部１２は、上記で例示した「雨」、「晴」、「高速」及び「渋滞」に限らず、環境情報に基づく種々の第２キーワードを作成できる。例えば、第２キーワード作成部１２は、ヘッドライトセンサによりヘッドライトが点灯されていることが検出された場合は第２キーワードとして「夜」を作成し、フォグランプセンサによりフォグランプがオンにされていることが検出された場合は第２キーワードとして「霧」を作成し、方向指示器センサにより方向指示器がオンにされていることが検出された場合は第２キーワードとして「曲がり角」を作成することができる。
【００３３】
自動選曲処理では、次に、第３キーワードの取得が行われる（ステップＳＴ１２）。この第３キーワード取得処理は第３キーワード作成部１３で実行されるものであり、その詳細を図５のフローチャートに示す。
【００３４】
第３キーワード取得処理では、先ず、操作パネル２３のプリセットスイッチ２３ａからユーザ情報が取得される（ステップＳＴ６０）。次いで、取得されたユーザ情報に基づいて、プリセットボタン１が操作されたかどうかが調べられる（ステップＳＴ６１）。そして、プリセットボタン１が操作されたことが判断されると第３キーワードとしてプリセットボタン１に割り当てられている「ポップス」が作成される（ステップＳＴ６２）。この作成された第３キーワードである「ポップス」は、図示しないメモリの第３キーワード格納部に格納される。一方、ステップＳＴ６１でプリセットボタン１が操作されていないことが判断されるとステップＳＴ６２の処理はスキップされる。
【００３５】
以下同様にして、プリセットボタン２が操作されたことが判断されると第３キーワードとしてプリセットボタン２に割り当てられている「ロック」が作成され（ステップＳＴ６３及びＳＴ６４）、プリセットボタン３が操作されたことが判断されると第３キーワードとしてプリセットボタン３に割り当てられている「歌手Ａ」が作成され（ステップＳＴ６５及びＳＴ６６）、プリセットボタン４が操作されたことが判断されると第３キーワードとしてプリセットボタン４に割り当てられている「歌手Ｂ」が作成され（ステップＳＴ６７及びＳＴ６８）、プリセットボタン５が操作されたことが判断されると第３キーワードとしてプリセットボタン５に割り当てられている「癒し」が作成され（ステップＳＴ６９及びＳＴ７０）、プリセットボタン６が操作されたことが判断されると第３キーワードとしてプリセットボタン６に割り当てられている「楽しい」が作成され（ステップＳＴ７１及びＳＴ７２）、それぞれ第３キーワード格納部に格納される。その後、シーケンスは自動選曲処理（図２）にリターンする。
【００３６】
なお、第３キーワード作成部１３は、上記で例示した「ポップス」、「ロック」、「歌手Ａ」、「歌手Ｂ」、「癒し」及び「楽しい」に限らず、ユーザがプリセットボタン１〜６に所望のキーワードを割り当てることにより、種々の第３キーワードを作成できる。
【００３７】
自動選曲処理では、次に、第４キーワードの取得が行われる（ステップＳＴ１３）。この第４キーワード取得処理は第４キーワード作成部１４で実行されるものであり、その詳細を図６のフローチャートに示す。
【００３８】
第４キーワード取得処理では、先ず、時計機構２４から現在日時情報が取得される（ステップＳＴ８０）。次いで、取得された現在日時情報に基づいて、現在の日付が３月から５月の間であるかどうかが調べられる（ステップＳＴ８１）。そして、３月から５月の間であることが判断されると第４キーワードとして「春」が作成される（ステップＳＴ８２）。この作成された第４キーワードである「春」は、図示しないメモリの第４キーワード格納部に格納される。一方、ステップＳＴ８１で３月から５月の間でないことが判断されるとステップＳＴ８２の処理はスキップされる。
【００３９】
以下同様にして、現在の日付が６月から８月の間であれば第４キーワードとして「夏」が作成され（ステップＳＴ８３及びＳＴ８４）、現在の日付が９月から１１月の間であれば第４キーワードとして「秋」が作成され（ステップＳＴ８５及びＳＴ８６）、現在の日付が１２月から２月の間であれば第４キーワードとして「冬」が作成され（ステップＳＴ８７及びＳＴ８８）、現在の時刻が５時から１２時の間であれば第４キーワードとして「朝」が作成され（ステップＳＴ８９及びＳＴ９０）、現在の時刻が１２時から１８時の間であれば第４キーワードとして「昼」が作成され（ステップＳＴ９１及びＳＴ９２）、現在の時刻が１８時から５時の間であれば第４キーワードとして「夜」が作成され（ステップＳＴ９３及びＳＴ９４）、それぞれ第４キーワード格納部に格納される。その後、シーケンスは自動選曲処理（図２）にリターンする。
【００４０】
なお、第４キーワード作成部１４は、上記で例示した「春」、「夏」、「秋」、「冬」、「朝」、「昼」及び「夜」に限らず、現在時刻情報に基づく種々の第４キーワードを作成できる。
【００４１】
自動選曲処理では、次に、キーワードを取得できたがどうかが調べられる（ステップＳＴ１４）。これは、第１キーワード作成部１１の第１キーワード格納部〜第４キーワード作成部１４の第４キーワード格納部の何れかに、第１キーワード〜第４キーワードの何れかが格納されているかどうかを調べることにより行われる。ここで、キーワードを取得できなかったことが判断されると、シーケンスはステップＳＴ１０に戻り、再度上述した動作が繰り返される。
【００４２】
一方、ステップＳＴ１４で、キーワードを取得できたことが判断されると、次いで、選曲部１５は、第１キーワード格納部〜第４キーワード格納部からキーワードを入力する（ステップＳＴ１５）。この際、入力するキーワードに優先順位を付与して入力し、以下では優先順位の高いキーワードから順次曲の検索に使用するように構成できる。
【００４３】
次いで、選曲部１５は、曲の検索を行う（ステップＳＴ１６）。具体的には、選曲部１５は、曲データ記憶部２５に記憶されている音楽情報（曲名、アーティスト名、ジャンル、歌詞等）の中に、ステップＳＴ１５で入力されたキーワードに一致する語を含む曲が存在するかどうかを調べる。
【００４４】
次いで、選曲部１５は、曲名を選択できたかどうかを調べる（ステップＳＴ１７）。ここで、曲名を選択できなかったことが判断されると、シーケンスはステップＳＴ１０に戻り、再度上述した動作が繰り返される。
【００４５】
一方、曲名を選択できたことが判断されると、選曲部１５は、次いで、複数の曲名が選択されたかどうかを調べる（ステップＳＴ１８）。ここで複数の曲名が選択されたことが判断されると、選曲部１５は、手動で曲名を選択する処理を実行する（ステップＳＴ１９）。具体的には、選曲部１５は、選択された複数の曲名を図示しないディスプレイに表示し、ユーザに何れか１つを選択させる。この手動による曲名の選択が済むと、シーケンスはステップＳＴ２０に進む。上記ステップＳＴ１８で、複数の曲名が選択されていない、つまり１曲だけが選択されたことが判断された場合は、ステップＳＴ１９の処理はスキップされる。
【００４６】
ステップＳＴ２０では、選曲部１５は、選択された曲名に対応する曲データが曲データ記憶部２５に存在するかどうかを調べる。ここで、存在しないことが判断されると、シーケンスはステップＳＴ１０に戻り、再度上述した動作が繰り返される。この処理により、音楽情報のみが残されて曲データは既に削除された場合に、次の選曲を行う機能が実現されている。
【００４７】
上記ステップＳＴ２０で曲データが存在することが判断されると、次いで、曲の再生が行われる（ステップＳＴ２１）。即ち、選曲部１５は、曲名を再生部１６に渡す。再生部１６は、先に選択された曲の再生中でなければ、受け取った曲名に対応する曲データを曲データ記憶部２５から読み出して音楽信号を生成し、スピーカ２６に送る。これにより、自動的に選択された曲がスピーカ２６から発生される。なお、再生部１６は、先に選択された曲の再生中であれば、その再生が終了した後に、選曲部１５から受け取った曲名の曲を再生する。
【００４８】
その後、シーケンスはステップＳＴ１０に戻り、再度上述した動作が繰り返される。従って、曲の再生中に次の曲の選択が行われることになる。
【００４９】
以上説明したように、この発明の実施の形態１に係る自動選曲システムによれば、車両の現在位置に関連のある曲を選択するのみならず、車両の環境、年月日及び時刻、並びにユーザの意志に基づいて曲を選択して再生するので、車両の搭乗者に対して、より好適な曲を選択できる。
【００５０】
実施の形態２．
この発明の実施の形態２に係る自動選曲システムは、選曲をインターネットに接続されたサーバにおいて行うように構成したものである。
【００５１】
図７は、この発明の実施の形態２に係る自動選曲システムを示す図である。この自動選曲システムは、実施の形態１に係る自動選曲システム（図１参照）に、携帯電話２７及びサーバ３０が追加されて構成されている。なお、以下では、実施の形態１に係る自動選曲システムと同一の構成部分には実施の形態１と同一の符号を付して説明を省略する。
【００５２】
携帯電話２７は、この発明の通信部の一部に対応し、ＣＰＵ１０を無線によりインターネットに接続するものである。インターネットは、この発明のネットワークに対応する。
【００５３】
サーバ３０はインターネットに接続されたサーバコンピュータから構成されており、検索サービス及び曲データの配信サービスをユーザに提供する。このサーバ３０は選曲部３１及び曲データ記憶部（図示しない）を備えている。選曲部３１は、実施の形態１に係るＣＰＵ１０の選曲部１５と同等又はそれ以上の機能を有する。
【００５４】
このサーバ３０の図示しない曲データ記憶部は、曲データ記憶部２５と同様に、複数の曲に対応する曲データ及び複数の曲の属性を表す音楽情報を記憶している。但し、サーバ３０の曲データ記憶部に記憶されている曲（曲データ及び音楽情報）の量は、曲データ記憶部２５に記憶されている曲（曲データ及び音楽情報）の量に比べて遙かに多い。また、音楽情報として記憶されている情報の量も、曲データ記憶部２５に記憶されている情報の量より多く充実している。
【００５５】
サーバ３０の選曲部３１は、ＣＰＵ１０から携帯電話２７及びインターネットを介して送られてくる第１〜第４キーワードに基づいて曲データ記憶部に記憶されている音楽情報を検索し、第１〜第４キーワードに合致する曲を選択する。選択された曲の曲名は、インターネット及び携帯電話２７を介してＣＰＵ１０に送られる。
【００５６】
この実施の形態２に係るＣＰＵ１０は、実施の形態１に係るＣＰＵ１０から選曲部１５が除去され、制御部１７が追加されることにより構成されている。制御部１７は、この発明の通信部の他の一部に対応し、第１キーワード作成部１１からの第１キーワード、第２キーワード作成部１２からの第２キーワード、第３キーワード作成部１３からの第３キーワード及び第４キーワード作成部１４からの第４キーワードを携帯電話２７に送る。これにより、選曲のためのキーワードがサーバ３０の選曲部３１に送られる。また、制御部１７は、サーバ３０の選曲部３１からインターネット及び携帯電話２７を介して送られてくる、選択された曲の曲名を受信し、再生部１６に送る。
【００５７】
次に、上記のように構成される、この発明の実施の形態２に係る自動選曲システムの動作を、図８に示したフローチャートを参照しながら説明する。なお、以下では、実施の形態１に係る自動選曲システムと同一の処理ステップには実施の形態１と同一の符号を付して説明を省略又は簡略化する。
【００５８】
自動選曲システムが起動されると、図８のフローチャートに示す自動選曲処理が制御部１７によって開始される。自動選曲処理では、先ず、実施の形態１と同様に、第１キーワード〜第４キーワードの取得が行われる（ステップＳＴ１０〜ＳＴ１３）。
【００５９】
次いで、キーワードを取得できたかどうかが調べられる（ステップＳＴ１４）。ここで、キーワードを取得できなかったことが判断されると、シーケンスはステップＳＴ１０に戻り、再度上述した動作が繰り返される。
【００６０】
一方、ステップＳＴ１４で、キーワードを取得できたことが判断されると、次いで、制御部１７は、第１キーワード格納部〜第４キーワード格納部からキーワードを入力する（ステップＳＴ１５）。この際、入力するキーワードに優先順位を付与して入力し、以下では優先順位の高いキーワードから順次曲の検索に使用するように構成できる。
【００６１】
次いで、制御部１７は、検索サイトでの曲の検索を行う（ステップＳＴ２５）。具体的には、制御部１７は、ステップＳＴ１５で入力された第１〜第４キーワードを携帯電話２７及びインターネットを介してサーバ３０の選曲部３１に送る。サーバ３０の選曲部３１は、曲データ記憶部に記憶されている音楽情報（曲名、アーティスト名、ジャンル、歌詞等）の中に、ＣＰＵ１０から受け取ったキーワードに一致する語を含む曲が存在するかどうかを調べ、その調べた結果を表す情報をインターネット及び携帯電話２７を介してＣＰＵ１０内の制御部１７に送る。
【００６２】
次いで、制御部１７は、ステップＳＴ２５で得られた情報に基づいて曲名を選択できたかどうかを調べる（ステップＳＴ１７）。ここで、曲名を選択できなかったことが判断されると、シーケンスはステップＳＴ１０に戻り、再度上述した動作が繰り返される。
【００６３】
一方、曲名を選択できたことが判断されると、制御部１７は、次いで、複数の曲名が選択されたかどうかを調べる（ステップＳＴ１８）。ここで複数の曲名が選択されたことが判断されると、選曲部１５は、手動で曲名を選択する処理を実行する（ステップＳＴ１９）。この手動による曲名の選択が済むと、シーケンスはステップＳＴ２０に進む。上記ステップＳＴ１８で、複数の曲名が選択されていない、つまり１曲だけが選択されたことが判断された場合は、ステップＳＴ２０の処理はスキップされる。
【００６４】
ステップＳＴ２０では、制御部１７は、選択された曲名に対応する曲データが曲データ記憶部２５に存在するかどうかを調べる。ここで、存在しないことが判断されると、曲データのダウンロードが行われる（ステップＳＴ２２）。即ち、制御部１７は、サーバ３０の図示しない曲データ記憶部から、選択された曲名に対応する曲データ及び音楽情報をダウンロードし曲データ記憶部２５に格納する。その後、シーケンスはステップＳＴ２１に分岐する。
【００６５】
上記ステップＳＴ２０で曲データが存在することが判断されると、又はステップＳＴ２２で曲データのダウンロードが完了すると、次いで、曲の再生が行われる（ステップＳＴ２１）。これにより、自動的に選択された曲がスピーカ２６から発生される。なお、再生部１６は、先に選択された曲の再生中であれば、その再生が終了した後に、制御部１７から受け取った曲名の曲を再生する。
【００６６】
その後、シーケンスはステップＳＴ１０に戻り、再度上述した動作が繰り返される。従って、曲の再生中に次の曲の選択が行われることになる。
【００６７】
以上説明したように、この発明の実施の形態２に係る自動選曲システムによれば、キーワードに基づく曲の検索及び選択をサーバ３０上で行うように構成したので、車両に搭載された曲データ記憶部２５に保有されている曲より遙かに多い曲の中からキーワードに合致する曲を選択できるので選択の余地が拡大し、また、サーバ３０の曲データ記憶部に音楽情報として記憶されている情報の量も、曲データ記憶部２５に記憶されている情報の量より多く充実しているので、車両の搭乗者にとって、より好適な曲を自動的に選択できる。
【００６８】
また、サーバ３０における検索により選択された曲名の曲データが曲データ記憶部２５に存在しない場合に、サーバ３０からダウンロードして曲データ記憶部２５に格納した後に再生するように構成したので、よりキーワードに合致する曲を車両の搭乗者に提供できる。
【００６９】
なお、上述した実施の形態２では、選択された曲名の曲データが曲データ記憶部２５に存在しない場合に、サーバ３０からダウンロードするように構成したが、実施の形態１に係る自動選曲システムと同様に、選択された曲名の曲データが曲データ記憶部２５に存在しない場合に次の曲を選択するように構成できる。
【００７０】
また、上述した実施の形態１及び実施の形態２では、複数の曲名が選択された場合に１曲だけをユーザに手動で選択させるように構成したが、複数の曲名が選択された場合は、複数の曲を順次再生するように構成することもできる。
【００７１】
【発明の効果】
以上のように、この発明によれば、複数の曲に対応する曲データを曲データ記憶部に記憶しておき、移動体の現在位置を表す現在位置情報に基づいて作成された第１キーワードと移動体の環境を表す環境情報に基づいて作成された第２キーワードとに基づいて選曲し、選曲されたの曲データを曲データ記憶部から読み出して再生するように構成したので、車両の現在位置に関連のある曲を選択するのみならず、車両の環境にも基づいて曲を選択して再生するので、車両の搭乗者に対して、より好適な曲を選択できる効果がある。
【図面の簡単な説明】
【図１】この発明の実施の形態１に係る自動選曲システムを示すブロック図である。
【図２】この発明の実施の形態１に係る自動選曲システムの動作を説明するためのフローチャートである。
【図３】図２に示した第１キーワード取得処理の詳細を示すフローチャートである。
【図４】図２に示した第２キーワード取得処理の詳細を示すフローチャートである。
【図５】図２に示した第３キーワード取得処理の詳細を示すフローチャートである。
【図６】図２に示した第１キーワード取得処理の詳細を示すフローチャートである。
【図７】この発明の実施の形態２に係る自動選曲システムを示すブロック図である。
【図８】この発明の実施の形態２に係る自動選曲システムの動作を説明するためのフローチャートである。
【符号の説明】
１０  ＣＰＵ、１１  第１キーワード作成部、１２  第２キーワード作成部、１３  第３キーワード作成部、１４  第４キーワード作成部、１５  選曲部、１６  再生部、１７  制御部（通信部）、２１  ナビゲーション装置（現在位置検出部）、２２  各種センサ、２３  操作パネル、２３ａ  プリセットスイッチ、２４  時計機構、２５  曲データ記憶部、２６  スピーカ、２７  携帯電話（通信部）、３０  サーバ、３１  選曲部。
【図１】
2004361845.tif 000003
【図２】
2004361845.tif 000004
【図３】
2004361845.tif 000005
【図４】
2004361845.tif 000006
【図５】
2004361845.tif 000007
【図６】
2004361845.tif 000008
【図７】
2004361845.tif 000009
【図８】
2004361845.tif 000010